(57)【要約】【課題】ダイで型抜きしたカスが、受けロールの表面に付着したり、連続用紙に付着するなどして、型抜き加工装置が故障することを防止した型抜き加工装置を提供する。【解決手段】周面にダイを着脱可能に装着するダイロールと、ダイロールに装着したダイによる抜き圧を受けてダイロールと回転する受けロールと、ダイロールと受けロールの間を連続走行させる連続状の被加工物の下流側に設置させたガイドロールと、を有する型抜き加工装置であって、前記受けロールと前記ガイドロールとの間に設けられ、前記受けロールと前記ガイドロールとの間を走行する前記被加工物の下面領域を含む領域の大きさを有する受け口と、前記被加工物から型抜きされたカスを下方に吸引する吸引部と、を備えた吸引ダクトと、前記受けロールと前記ガイドロールとの間を走行する被加工物の上方側に設けられ、前記被加工物に向かって空気を噴出する空気噴出ダクトと、を備えている。【選択図】        図１
2010269383.tif 000002
【特許請求の範囲】
【請求項１】
周面にダイを着脱可能に装着するダイロールと、前記ダイロールに装着したダイによる抜き圧を受けて前記ダイロールと同じ周速で連続回転する受けロールと、前記ダイロールと前記受けロールの間を連続走行させる連続状の被加工物の下流側に設置させたガイドロールと、を有する型抜き加工装置であって、
前記受けロールと前記ガイドロールとの間に設けられ、前記受けロールと前記ガイドロールとの間を走行する前記被加工物の下面領域を含む領域の大きさを有する受け口と、前記被加工物から型抜きされたカスを下方に吸引する吸引部と、を備えた吸引ダクトと、
前記受けロールと前記ガイドロールとの間を走行する前記被加工物の上方側に設けられ、前記被加工物に向かって空気を噴出する空気噴出ダクトと、
を備えていることを特徴とする型抜き加工装置。
【請求項２】
前記吸引ダクトの受け口と前記受けロールとの間に、前記受けロールの表面と接触状態に設けられ、前記受けロールに付着した付着物を掻き集めるためのドクタと、前記吸引ダクトの受け口と前記ガイドロールとの間に、前記ガイドロールの表面と用紙を介して接触状態に設けられ、用紙下面に付着した付着物を掻き集めるためのブラシと、が設けられていることを特徴とする請求項１記載の型抜き加工装置。
【請求項３】
前記受けロールと前記ガイドロールとの間を走行する前記被加工物と、前記吸引ダクトの受け口と、の隙間領域にクッション材が設けられていることを特徴とする請求項１記載の型抜き加工装置。
【発明の詳細な説明】
【技術分野】
【０００１】
本発明は、連続用紙などの被加工物を走行させて、被加工物の所定部分を型抜き加工するための型抜き加工装置に関する。
【背景技術】
【０００２】
従来、連続用紙などの連続状の被加工物を走行させて、被加工物の所定部分を型抜き加工するための型抜き加工装置は、従来から使用され公知となっている。（例えば、特許文献１、参照）
【０００３】
これらの型抜き加工装置は、周面に型抜き刃であるダイを着脱可能に装着するダイロールと、そのダイロールに装着したダイによる抜き圧を受けてダイロールと回転する受けロールと、更にダイロールと受けロールの間を連続走行させる連続状の被加工物の下流側に所定の間隔をあけて設置させたガイドロールと、を有している。
【０００４】
例えば、連続状の被加工物として連続用紙の所定部分に型抜き加工を施す場合には、走行させる連続用紙を、上流側からダイロールと受けロールの間を通過させて、ダイロールに設けられているダイで連続用紙に型抜きを行い、更にその下流側に設けられているガイドロールに接触させて搬送されていくが、その際に、ダイで型抜きされた連続用紙のカスは下方向に落ちるなど自然にまかせている。
【０００５】
しかしながら、特にダイロールと受けロールとを高速で回転させて、速いスピードで連続用紙を走行させた際に、型抜きしたカスの一部が下方向に落ちないで、受けロールの表面に付着したり、また、カスが舞い上がって走行する連続用紙の表面などに付着するなどして、型抜き加工装置が故障する原因となったり、また、カスの付いた連続用紙が納品されてクレームが発生する原因となるなどの問題がある。
【先行技術文献】
【特許文献】
【０００６】
【特許文献１】特開２００７−９０４５３号公報
【発明の概要】
【発明が解決しようとする課題】
【０００７】
そこで、本発明は、ダイで型抜きした被加工物のカスが、受けロールの表面に付着したり、また、カスが舞い上がって走行する連続用紙の表面などに付着するなどして、型抜き加工装置が故障する原因となることを防止することができる型抜き加工装置を提供することを目的とする。
【課題を解決するための手段】
【０００８】
本発明の型抜き加工装置は、周面にダイを着脱可能に装着するダイロールと、前記ダイロールに装着したダイによる抜き圧を受けて前記ダイロールと同じ周速で連続回転する受けロールと、前記ダイロールと前記受けロールの間を連続走行させる連続状の被加工物の下流側に設置させたガイドロールと、を有する型抜き加工装置であって、前記受けロールと前記ガイドロールとの間に設けられ、前記受けロールと前記ガイドロールとの間を走行する前記被加工物の下面領域を含む領域の大きさを有する受け口と、前記被加工物から型抜きされたカスを下方に吸引する吸引部と、を備えた吸引ダクトと、前記受けロールと前記ガイドロールとの間を走行する前記被加工物の上方側に設けられ、前記被加工物に向かって空気を噴出する空気噴出ダクトと、を備えていることを特徴とする。
【０００９】
また、本発明の型抜き加工装置は、前記吸引ダクトの受け口と前記受けロールとの間に、前記受けロールの表面と接触状態に設けられ、前記受けロールに付着した付着物を掻き集めるためのドクタと、前記吸引ダクトの受け口と前記ガイドロールとの間に、前記ガイドロールの表面と用紙を介して接触状態に設けられ、用紙下面に付着した付着物を掻き集めるためのブラシと、が設けられていることを特徴とする。
【００１０】
更に、前記受けロールと前記ガイドロールとの間を走行する前記被加工物と、前記吸引ダクトの受け口と、の隙間領域にクッション材が設けられていることを特徴とする。
【発明の効果】
【００１１】
したがって、本発明の型抜き加工装置は、受けロールとガイドロールとの間を走行した連続状の被加工物に対して、その後、上方から空気噴出ダクトにより被加工物に向かって空気が吹きかけられ、更に、下方に設けられた吸引ダクトでカスが下方に吸引されるので、カスが舞い上がって走行する連続用紙の表面などに付着するなどして、型抜き加工装置が故障する原因となることを防止することができる。
また、吸引ダクトには、受けロールとガイドロールとの間を走行する被加工物の下面領域を含む領域の大きさを有する受け口が設けられているので、下方向に落ちるカスを全て回収することができるという効果がある。
【００１２】
また、本発明の型抜き加工装置は、受けロールに付着した付着物を掻き集めるためのドクタ、が設けられているので、ダイで型抜きしたカスが受けロールの表面に付着してトラブルが発生することを防止することができるという効果がある。
【００１３】
更に、本発明の型抜き加工装置は、クッション材により受け口から下方向に落ちたカスが、再び上方に舞い上がって連続状の被加工物の表面上に付着することを防止することができるという効果がある。
【図面の簡単な説明】
【００１４】
【図１】本発明の実施形態に係る型抜き加工装置を概要的に示す構成説明図である。
【図２】本発明の実施形態に係る型抜き加工装置において、空気噴出ダクトを除いた構成を示す平面図である。
【発明を実施するための形態】
【００１５】
以下、本発明の実施形態に係る型抜き加工装置を図面に基づいて詳細に説明する。
図１に示すように、本発明の型抜き加工装置１は、周面にダイ２を着脱可能に装着するダイロール３と、そのダイロール３に装着したダイ２による抜き圧を受けてダイロール３と同じ周速で連続回転する受けロール４と、ダイロール３と受けロール４の間を連続走行させる連続状の被加工物である例えば連続用紙５の下流側に設置させたガイドロール６と、を有している。
したがって、連続状の被加工物である連続用紙５は、ダイロール３と受けロール４との間を通過して走行し、その後、ガイドロール６に接触して下流側に走行するように構成されている。
以下、連続状の被加工物を、連続用紙５を一例として説明する。
【００１６】
また、受けロール４が設けられた位置と、ガイドロール６が設けられた位置との間の領域には、ダイロール３により連続用紙５を型抜きした部分のカス７を、下方向に吸引する機能を有する吸引ダクト７が備えられている。
この吸引ダクト７には、受けロール４とガイドロール６との間を走行する連続用紙５の下面領域を含む領域の大きさを有する受け口７ａと、連続用紙から型抜きされたカス８を下方向に吸引するための吸引部７ｂとが備えられている吸引ダクトと、が設けられている。
受け口７ａの大きさを、受けロール４とガイドロール６との間を走行する連続用紙５の下面領域を含む領域の大きさとすることで、連続用紙５から型抜きされたカス８をもれなく回収できるようにしてある。
受け口７ａの口部分は、略矩形状を有している。
【００１７】
また、吸引ダクト７の受け口７ａと受けロール４との間には、受けロール４の表面と接触状態に設けられて、その受けロール４に付着した付着物を掻き集めるためのドクタ９が設けられている。
このドクタ９の先端部分は、回転する受けロール４の表面と接触状態にセットされていて、回転する受けロール４の表面に付着したカス８やゴミなどをかき集めて、それらのカス８やゴミを吸引ダクト７の内部から出ないように構成されている。
【００１８】
更に、吸引ダクト７の受け口７ａとガイドロール６との間には、ガイドロール６の下面を走行する連続用紙５の裏面と接触状態に設けられて、連続用紙５の裏面に付着した付着したカス８やゴミなどが、連続用紙５に付着した状態のまま下流方向に流れていないようにブラシ１０が設けられ、特に連続用紙５から型抜きされたカス８が吸引ダクト７の内部から外側に出ないように構成されている。
上記のように、受けロール４とガイドロール６との間の領域においては、ドクタ９とブラシ１０とによって、連続用紙５から型抜きされたカス８の全てが吸引ダクト７の受け口７ａの内側から外部に出ない構成となっていて、それらのカス８が吸引部７ｂで下方向に吸引されて一箇所に回収される構造になっている。
【００１９】
また、受けロール４とガイドロール６との間を走行する連続用紙５と、吸引ダクト７の受け口７ａとの隙間領域には、所定の厚みからなる平板状のクッション材１１が設けられている。
このクッション材１１は、受け口７ａの開口部分と、連続用紙５が走行している部分領域との間の隙間部分を塞ぐ状態で備えられている。
これにより、連続用紙５から型抜きされたカス８が、クッション材１１により上方に舞い上がるのを防止している。
このクッション材１１は、スポンジ状であって空気の通過が可能な素材を用いて構成されている。
【００２０】
また、受けロール４とガイドロール６との間を走行する連続用紙５の上方側には、走行する連続用紙５に向かって空気を噴出する空気噴出ダクト１２が備えられている。
この空気噴出ダクト１２は、走行する連続用紙５に向かって下方向に空気を噴出させることで、型抜きされた連続用紙５のカス８を吸引ダクト７の受け口７ａの側に、容易に落とし込むことを可能にしてある。
また、空気噴出ダクト１２から噴出された空気は、走行する連続用紙５の両側に設けられているクッション材１１を通過することで巡回可能な状態となっている。
【００２１】
図２には、型抜き加工装置１において、空気噴出ダクト１２の部分を除いた構成を上側から下方向に見下ろした場合の平面図が示されている。
図２では、連続用紙５に対して、矩形状の窓部を型抜きした場合が示されている。
上流側からダイロール３と受けロール４の間を連続走行した連続用紙５は、ダイロール３に装着されたダイ２により、矩形状の型抜き１３が施されて、空気噴出ダクト１２の下側を通過し、ガイドロール６と接触して下流側へと走行していく。
空気噴出ダクト１２の下方であって、ダイロール３及び受けロール４と、ガイドロール６との間には、吸引ダクト７の受け口７ａが設置されているので、矩形状の型抜き１３が施されたカス８が受け口７ａの中へ落とされて、吸引部７ｂで下方向に吸引されて一箇所に回収される。
【００２２】
上記のように、本発明の型抜き加工装置１は、ダイで型抜きした被加工物である連続用紙５のカスが、完全に回収できるようになっており、また、受けロールの表面に付着したカスやゴミによる故障も防止することができ、更に、型抜きしたカスが舞い上がって走行する連続用紙の表面などに付着することも防止することができる構成となっている。
【符号の説明】
【００２３】
１  型抜き加工装置
２  ダイ
３  ダイロール
４  受けロール
５  連続用紙
６  ガイドロール
７  吸引ダクト
７ａ  受け口
７ｂ  吸引部
８  カス
９  ドクタ
１０  ブラシ
１１  クッション材
１２  空気噴出ダクト
１３  型抜き
【図１】
2010269383.tif 000003
【図２】
2010269383.tif 000004